(57)【特許請求の範囲】
【請求項１】
水を貯水し且つ複数の種類の水洗大便器に取付け自在なタンク本体と、
設定される供給条件に基づいて、前記タンク本体の水を、前記複数の種類の水洗大便器のうち前記タンク本体が取付けられた前記水洗大便器に供給する供給手段と、
前記タンク本体が取付けられた前記水洗大便器に係る情報を取得する取得手段と、
前記取得手段が取得した情報に基づいて、前記水洗大便器の種類を判別する判別手段と、
前記供給手段の前記供給条件を、前記判別手段が判別した前記水洗大便器の種類に基づいて、当該種類に適したものに設定する設定手段と、を備え、
前記取得手段は、前記タンク本体内の水位の変化に係る計測時間に基づき、前記水洗大便器の圧力損失を取得する貯水タンク。
【請求項２】
前記タンク本体に水を給水する際の給水量を調整する弁体を備え、
前記設定手段は、前記供給条件の設定後、前記弁体の使用による給水流量の変動量を算出し、前記供給条件を設定する、
請求項１に記載の貯水タンク。
【請求項３】
前記供給条件は、前記供給手段の供給時間を含み、
前記取得手段は、前記計測時間に基づき一方の給水流量を取得し、さらに前記供給時間の設定後、前記弁体の使用による他方の給水流量を取得し、
前記設定手段は、前記他方の給水流量と前記一方の給水流量の差を算出して前記変動量を算出し、前記変動量に基づき算出した前記供給時間設定する、
請求項２に記載の貯水タンク。
【請求項４】
前記取得手段は、前記水洗大便器に係る前記情報として、２種類以上の情報を取得する、
請求項１乃至３の何れか１項に記載の貯水タンク。
【請求項５】
前記取得手段は、前記水洗大便器に係る前記情報の一部が手動で入力される入力手段を含む、
請求項１乃至請求項４の何れか１項に記載の貯水タンク。
【請求項６】
前記複数の種類の水洗大便器にはそれぞれ、識別情報を埋め込んだタグが付与されており、
前記取得手段は、前記タンク本体が前記水洗大便器に取付けられた際に、前記タグを読み取ることで、前記水洗大便器に係る前記情報としての前記識別情報を取得する、
請求項１に記載の貯水タンク。
【請求項７】
前記判別手段及び前記設定手段は、それぞれの処理の際、予め記憶していた水洗大便器の種類毎の参照情報を参照する、
請求項１乃至請求項６の何れか１項に記載の貯水タンク。
【発明の詳細な説明】
【技術分野】
【０００１】
本発明は、水洗大便器に用いられる貯水タンクに関する。
【背景技術】
【０００２】
従来から、貯水タンクに貯水した洗浄水により洗浄され、汚物を排出する貯水タンク式の水洗大便器が知られている。この水洗大便器は、複数の種類存在し、それぞれ洗浄水量や排水特性、封水量等が異なっている。
【０００３】
このような状況において、貯水タンクが取付けられた既存の水洗大便器から貯水タンクのみを取替える場合、施工者がそのまま使用する既存の水洗大便器の製造番号等を確認した後、当該既存の水洗大便器の種類に適した貯水タンクを発注し、さらに、発注により得た貯水タンクを既存の水洗大便器に取付けた後、貯水タンクを取替えたことによる洗浄性能の低下を抑制するため、既存の水洗大便器の種類に適した水の供給条件を手動で設定しなければならなかった。
【０００４】
この供給条件の設定に関しては、例えば特許文献１において、水洗大便器の製造誤差によって洗浄性能が損なわれないように、貯水タンク内の水位が洗浄開始前の初期水位から所定水位に低下するまでの水位低下時間を計測し、この計測した水位低下時間に基づいて、洗浄水の吐水流量を調整する技術が開示されている。
【先行技術文献】
【特許文献】
【０００５】
【特許文献１】特開２０１２−１３２１６７号公報
【発明の概要】
【発明が解決しようとする課題】
【０００６】
しかしながら、特許文献１に記載の技術では、吐水流量の調整のための参照値となる瞬間流量が一つであったり、吐水流量の調整のための加圧ポンプの種類が一つであったり等、貯水タンクは一つの種類の水洗大便器に取付けることを想定しているので、貯水タンクを複数の水洗大便器に共通して使用することができなかった。仮に貯水タンクを共通して使用できたとしても、便器洗浄水量やリフィール水量等各種供給条件は水洗大便器の種類によって異なるため、使用する水洗大便器の種類に適した水の供給条件を手動で設定しなければならなかった。これらの場合、貯水タンクの発注や設定等貯水タンクが使用できるまでの準備に掛る時間や手間が増大して、施工者の負荷が増え、且つ、水の供給条件を誤設定する恐れがある。
【０００７】
そこで、本発明は、上述した課題を解決するためになされたものであり、貯水タンクの準備に掛る時間や手間を短縮すると共に、水の供給条件の誤設定を抑制することを目的の一つとしている。
【課題を解決するための手段】
【０００８】
本発明の第１態様に係る貯水タンクは、水を貯水し且つ複数の種類の水洗大便器に取付け自在なタンク本体と、設定される供給条件に基づいて、前記タンク本体の水を、前記複数の種類の水洗大便器のうち前記タンク本体が取付けられた前記水洗大便器に供給する供給手段と、前記タンク本体が取付けられた前記水洗大便器に係る情報を取得する取得手段と、前記取得手段が取得した情報に基づいて、前記水洗大便器の種類を判別する判別手段と、前記供給手段の前記供給条件を、前記判別手段が判別した前記水洗大便器の種類に基づいて、当該種類に適したものに設定する設定手段と、を備え、取得手段は、タンク本体内の水位の変化に係る計測時間に基づき、水洗大便器の圧力損失を取得する。
【０００９】
この構成では、水を貯水するタンク本体が複数の種類の水洗大便器に取付け自在になっているため、複数の種類の水洗大便器に対して貯水タンクを共通化することができるので、貯水タンクのみを取替える場合、施工者がそのまま使用する既存の水洗大便器の製造番号等を現場に行って確認することなく、当該既存の水洗大便器の種類に適した共通の貯水タンクを発注することができるので、貯水タンクの設置に掛る時間や手間を短縮することができる。
また、本発明の第１態様に係る貯水タンクの構成では、タンク本体が取付けられた水洗大便器に係る情報を取得する取得手段と、取得手段が取得した情報に基づいて、水洗大便器の種類を判別する判別手段とを備えているので、供給条件の設定の際に、施工者が水洗大便器を見てその種類が分からなくても、自動で水洗大便器の種類が判別される。そして、本発明の第１態様に係る貯水タンクの構成では、設定手段が、供給手段の供給条件を、判別手段が判別した水洗大便器の種類に基づいて、当該種類に適したものに設定するため、設定の際の施工者の手間を省くことができる。また、手動で設定を行わず設定手段が設定を行うため、水の供給条件の誤設定を抑制することができる。
したがって、本発明の第１態様に係る貯水タンクの構成によれば、貯水タンクの設置に掛る時間や手間を短縮すると共に、水の供給条件の誤設定を抑制することができる。
さらに、圧力損失は水洗大便器の種類によって異なり易いので、この構成のように、判別手段が、取得手段により算出された圧力損失に基づいて、水洗大便器の種類を判別することができれば、水洗大便器に係る他の情報に基づいて判別する場合に比べて、より正確に水洗大便器を判別することができる。
【００１２】
本発明の第３態様に係る貯水タンクでは、第２態様において、前記タンク本体に水を給水する際の給水量を調整する弁体を備え、前記設定手段は、前記弁体の使用時間による給水流量の変動量を算出して、前記変動量に基づき算出した供給条件を設定する。
【００１３】
この構成によれば、変動量に基づき算出した供給条件が設定されるため、設定した供給条件をより適切なものにすることができる。
【００１４】
本発明の第４態様に係る貯水タンクでは、第３態様において、前記供給条件は、前記供給手段の供給時間を含み、前記取得手段は、前記計測時間に基づき一方の給水流量を取得し、さらに前記供給時間の設定後、前記弁体の使用による他方の給水流量を取得し、前記設定手段は、前記他方の給水流量と前記一方の給水流量の差を算出して前記変動量を算出し、補正した前記供給時間を設定する。
【００１５】
この構成によれば、給水流量に変動が生じた場合でも、適切な供給時間を設定することができる。
【００１６】
本発明の第５態様に係る貯水タンクでは、第１態様乃至第４態様の何れか１つの態様において、前記取得手段は、前記水洗大便器に係る前記情報として、２種類以上の情報を取得する。
【００１７】
この構成によれば、判別手段が、１種類の情報だけでは区別できない水洗大便器を判別することができる。
【００１８】
本発明の第６態様に係る貯水タンクでは、第１態様乃至第５態様の何れか１つの態様において、前記取得手段は、前記水洗大便器に係る前記情報の一部が手動で入力される入力手段を含む。
【００１９】
この構成において、水洗大便器の品番が水洗大便器から消えて確認できないときでも、水洗大便器の外観や内観、封水面の大きさ、水の供給の仕方等の水洗大便器に係る情報については、施工者は現場に行けば知ることができる。このような情報を、施工者が入力手段で入力することで、判別手段にて水洗大便器の種類が判別されて、設定手段にて供給条件が設定される。これにより、水洗大便器に係る情報を自動で取得するセンサ等を新たに設けなくても、取得手段を構成できる。また、センサ等があっても、これに加えて入力手段があれば、判別手段は、複数の情報に基づいて判別することができるので、より正確に水洗大便器を判別することができる。
【００２０】
本発明の第７態様に係る貯水タンクでは、第１態様において、前記複数の種類の水洗大便器にはそれぞれ、識別情報を埋め込んだタグが付与されており、前記取得手段は、前記タンク本体が前記水洗大便器に取付けられた際に、前記タグを読み取ることで、前記水洗大便器に係る前記情報としての前記識別情報を取得する。
【００２１】
この構成によれば、取得手段が水洗大便器の識別情報を取得するため、判別手段での判別がより容易且つ正確となる。
【００２２】
本発明の第８態様に係る貯水タンクでは、第１態様乃至第７態様の何れか１つの態様において、前記判別手段及び前記設定手段は、それぞれの処理の際、予め記憶していた水洗大便器の種類毎の参照情報を参照する。
【００２３】
この構成によれば、前記判別手段の判別処理の際、及び、前記設定手段の設定手段の際、参照情報を参照することで、処理を正確且つ速く行うことができる。
【発明の効果】
【００２４】
本発明の貯水タンクによれば、当該貯水タンクの設置に掛る時間を短縮すると共に、水の供給条件の誤設定を抑制することができる。
【図面の簡単な説明】
【００２５】
【図１】本発明の第一実施形態に係る貯水タンクを含むトイレ装置の概略図である。
【図２】（Ａ）は、貯水タンクが水洗大便器に取付けられている様子を示す概略図である。（Ｂ）は、貯水タンクが（Ａ）とは別の種類の水洗大便器に取付けられている様子を示す概略図である。（Ｃ）は、貯水タンクが（Ａ）及び（Ｂ）とは別の種類の水洗大便器に取付けられている様子を示す概略図である。
【図３】貯水タンクの機能構成を概略的に示すブロック図である。
【図４】貯水タンク、給水装置、及び排水装置を任意の水洗大便器に適用した場合において予め求めた、貯水タンクの水位上昇時間と給水装置の給水流量との関係図である。
【図５】貯水タンク、給水装置、及び排水装置を基準便器に適用した場合において予め求めた、給水装置の第１給水流量と貯水タンクの水位上昇時間との関係図である。
【図６】判別参照テーブルの一例を示す図である。
【図７】供給条件参照テーブルの一例を示す図である。
【図８】各機能構成の処理の中で取得手段、判別手段及び設定手段の各処理の流れを示すフローチャートである。
【図９】図８に示すステップＳＰ１２の圧力損失取得に係るサブルーチンのフローチャートである。
【図１０】取得手段の動作を示すタイムチャートである。
【図１１】便器圧力損失係数と排水装置の開弁時間との関係図である。
【図１２】識別情報参照テーブルの一例を示す図である。
【図１３】給水時間と、給水流量との関係を示す図である。
【図１４】図８に示すステップＳＰ２０の供給条件設定に係るサブルーチンのフローチャートである。
【発明を実施するための形態】
【００２６】
以下、添付図面を参照しながら本発明の複数の実施の形態について説明する。説明の理解を容易にするため、各図面において同一の構成要素に対しては可能な限り同一の符号を付して、重複する説明は省略する。
【００２７】
＜第１実施形態＞
―――トイレ装置の全体構成―――
まず、本発明の第一実施形態に係る貯水タンクを含むトイレ装置の全体構成について説明する。
【００２８】
図１は、本発明の第一実施形態に係る貯水タンクを含むトイレ装置の概略図である。
【００２９】
図１に示すように、トイレ装置１は、陶器製の水洗大便器２と、この水洗大便器２の後部に取り付けられ、便器洗浄に使用される洗浄水を貯水して水洗大便器２へ給水する貯水タンク４とを備えている。このトイレ装置１は、貯水タンク４から洗浄水が供給されて水洗大便器２のボウル部６内の水の落差による流水作用で汚物を押し流す、いわゆる、洗い落し式のものである。
【００３０】
水洗大便器２は、ボウル部６と、導水路８と、供給口１０と、排水トラップ管路１２とを有している。
【００３１】
ボウル部６は、水洗大便器２の上部の前方側に形成され、このボウル部６の後方側の上部に導水路８が形成されている。また、ボウル部６の中心下部には、導水路８から洗浄水が供給される吐水口１０が形成されており、貯水タンク４から導水路８内に供給された洗浄水は、ボウル部６の吐水口１０に導かれるようになっている。また、導水路８の下方にボウル部６と連通する排水トラップ管路１２が形成され、吐水口１０から洗浄水が排水トラップ管路１２に向けて吐水されるようになっている。
【００３２】
ボウル部６の上縁部には、オーバーハング形状のリム１４が形成され、このリム１４に導水路８から洗浄水が供給されるリム吐水口１６が形成され、洗浄水が旋回しながら下降してボウル部６を洗浄できるようになっている。
【００３３】
水洗大便器２の導水路８の上方に位置する貯水タンク４の底部には、水洗大便器２の導水路８と連通し且つ貯水タンク４内の洗浄水が排水される排水口１８が形成されている。
【００３４】
貯水タンク４は、洗浄水を内部に貯水する箱状のタンク本体４Ａと、水道等の水源からタンク本体４Ａ内に洗浄水を供給する給水装置２０と、水洗大便器２の導水路８にタンク本体４Ａ内に貯水された洗浄水を排水口１８から排水する排水装置２２とを備えている。さらに、貯水タンク４は、タンク本体４Ａ内の水位を検知する水位センサであるフロートスイッチ２４と、このフロートスイッチ２４が検知した水位情報に基づいて給水装置２０や排水装置２２の動作を制御する制御装置２６とを備えている。
【００３５】
給水装置２０は、上流側から、給水管２８、給水バルブ３０、及び、給水口３２を備えている。
【００３６】
給水管２８の上流側には、定流量弁３４が設けられ、この定流量弁３４の上流側には、止水栓３６が設けられて、この止水栓３６の上流側は、外部の水道等の給水源（図示せず）に接続されている。
【００３７】
給水バルブ３０は、電磁バルブからなり、タンク本体４Ａ内の水位を検知するフロートスイッチ２４の水位検知情報に基づいて制御装置２６からの指令により給水バルブ３０の開閉動作が制御され、給水装置２０の給水口３２からタンク本体４Ａ内への洗浄水の給水又は止水が切り替えられるようになっている。
【００３８】
次に、排水装置２２は、筒状のオーバーフロー管３８と、このオーバーフロー管３８の下部に一体的に設けられた弁部材４０と、回転駆動装置４２とを備えており、オーバーフロー管３８の上端部は、玉鎖４４を介して回転駆動装置４２の回転軸４２ａに接続されている。また、回転駆動装置４２は、回転軸４２ａを駆動するためのモータ（図示せず）が内蔵されており、このモータ（図示せず）の作動は、制御装置２６によって制御されるようになっている。
【００３９】
さらに、制御装置２６は、使用者が洗浄操作を指令する操作ボタン４６と接続されている。使用者が操作ボタン４６を操作した信号が制御装置２６に送信されると、回転駆動装置４２のモータ（図示せず）が作動し、回転軸４２ａが回転し、この回転軸４２ａの回転方向に応じて、オーバーフロー管３８及び弁部材４０が上下動するようになっている。より具体的に説明すると、回転軸４２ａが所定方向に回転すると、玉鎖４４と共にオーバーフロー管３８及び弁部材４０が所定時間引き上げられ、排水口１８が開放されるようになっている。また、オーバーフロー管３８及び弁部材４０が引き上げられる量が大きい程、排水装置２２の開弁時間が長くなり、その分、タンク本体４Ａから水洗大便器２の導水路８に排水される洗浄水量が多くなるようになっている。
一方、回転軸４２ａが所定方向と反対方向に回転すると、オーバーフロー管３８及び弁部材４０がタンク本体４Ａ内の水位の下降と共に下降し、排水口１８が弁部材４０により閉止されるようになっている。
【００４０】
なお、本実施形態の排水装置２２においては、回転駆動装置４２の回転軸４２ａの駆動によりオーバーフロー管３８及び弁部材４０が上下動し、排水口１８を開閉する、いわゆる、直動式の排水弁の形態について説明するが、フラッパ式の排水弁の形態を適用してもよいし、ポンプによって排水を行うような形態を適用してもよい。
【００４１】
ここで、排水口１８が開放され、タンク本体４Ａ内の水位が下降している状態から、弁部材４０が排水口１８を閉止した状態のときに、タンク本体４Ａ内に残されている洗浄水の水位は死水水位ＤＷＬ１となっている。また、水洗大便器２の通常の洗浄動作では、タンク本体４Ａ内の水位が死水水位ＤＷＬ１の状態から給水装置２０の給水によって、タンク本体４Ａ内の水位がフロートスイッチ２４に接触する止水水位ＷＬまで上昇すると、給水装置２０による給水が停止するようになっている。ちなみに、図１のタンク本体４Ａ内の水位ＤＷＬ２は、タンク本体４Ａが空の状態の水位（ＤＷＬ２＝０）を示している。給水装置２０による給水により、タンク本体４Ａ内の死水水位ＤＷＬ１から止水水位ＷＬまで水位が上昇する時間は、例えば２５〜７５秒である。
【００４２】
また、制御装置２６は、操作ボタン４６からの洗浄モードの指令に応じて、回転駆動装置４２の回転軸４２ａの駆動を制御し、弁部材４０を上昇させてタンク本体４Ａの排水口１８を開放している開弁時間を制御することにより、タンク本体４Ａの排水口１８から水洗大便器２の導水路８に排水される洗浄水量を制御するようになっている。ちなみに、操作ボタン４６は、最も多い洗浄水量で洗浄を行う「大洗浄モード」、大洗浄モードの洗浄水量よりも少ない洗浄水量で洗浄を行う「小洗浄モード」、及び小洗浄モードの洗浄水量よりも少ない洗浄水量で洗浄を行う「エコ小洗浄モード」の３種類の洗浄モードいずれかを選択して切り替える洗浄モード切替ボタン（図示せず）を備えている。
【００４３】
なお、本実施形態では、タンク本体４Ａの排水口１８から水洗大便器２の導水路８に排水される洗浄水量について、排水装置２２の弁部材４０を上昇させる時間を大、中、小の３段階に設定することにより、大洗浄モード、小洗浄モード、及びエコ小洗浄モードによる３種類の便器洗浄が可能となっているが、洗浄モードの種類については、３種類に限定されず、大洗浄モードのみを行う便器であってもよいし、大洗浄モードと小洗浄モードの２種類を行う便器であってもよい。
【００４４】
さらに、制御装置２６は、タンク本体４Ａ内の水位が上昇しているときの水位上昇時間を計測することができる計時装置４８を備えており、この計時装置４８が計測した水位上昇時間に基づいて、詳細は後述する、個々の施工場所に設置される水洗大便器２の圧力損失を検知する制御（以下「便器圧力損失学習制御」）を行うことができるようになっている。これにより、個々の施工場所に水洗大便器２が設置された後、便器の実質的な使用を開始する前に、水洗大便器２毎の、水洗大便器２の圧力損失（特に、導水路８等の圧力損失）に応じて、排水装置２２の回転駆動装置４２の駆動時間及び弁部材４０の開弁時間を適宜調整する調整手段として機能することができるようにもなっている。
【００４５】
さらに、制御装置２６は、適切な便器圧力損失学習制御が行われていないことを使用者にＬＥＤ表示器等を点滅させて異常を知らせる報知器５０を備えている。
【００４６】
―――貯水タンク４の取付け―――
次に、貯水タンク４の取付けについて説明する。
【００４７】
図２（Ａ）は、貯水タンク４が水洗大便器２Ａに取付けられている様子を示す概略図である。図２（Ｂ）は、貯水タンク４が水洗大便器２Ｂに取付けられている様子を示す概略図である。図２（Ｃ）は、貯水タンク４が水洗大便器２Ｃに取付けられている様子を示す概略図である。
【００４８】
図２（Ａ）〜図２（Ｃ）に示すように、水洗大便器２Ａ〜２Ｃは、互いに種類が異なっており、例えば外観や内観の形状や大きさ、圧力損失等が異なっている。ただし、水洗大便器２Ａ〜２Ｃの構成は、前述した水洗大便器２と同様であるので、同一の構成要素に対して同一の符号で説明する。無論、水洗大便器２の種類によって新たな構成が追加されたり、既存の構成が省略されたりしてもよい。
【００４９】
第１実施形態では、このような水洗大便器２Ａ〜２Ｃ等の複数の種類の水洗大便器２に、貯水タンク４が取付け自在となっている。この取付自在にするために、貯水タンク４は、例えば、その形状が複数の種類の水洗大便器２の形状に適合していたり、取付金具が共通していたり、貯水タンク４の排水口１８の位置・大きさが水洗大便器２の導水路８の位置・大きさに適合している。
【００５０】
―――貯水タンク４の機能構成―――
次に、貯水タンク４の機能構成について説明する。
【００５１】
図３は、貯水タンク４の機能構成を概略的に示すブロック図である。
【００５２】
図３に示すように、貯水タンク４は、タンク本体４Ａの他、記憶手段６０と、供給手段６２と、取得手段６４と、判別手段６６と、設定手段６８と、を備えている。
【００５３】
記憶手段６０は、メモリ等の記憶装置を含んで構成される。この記憶手段６０には、圧力損失算出データ７０と、判別参照テーブル７２と、供給条件参照テーブル７４と、が記憶されている。また、記憶手段６０には、設定手段６８により供給条件設定データ７６が記憶される。
【００５４】
圧力損失算出データ７０は、例えば図４に示すような第１関係式Ｒ１や図５に示すような第２関係式Ｒ２を含む。
第１関係式Ｒ１は、複数の種類の水洗大便器２のうち任意の水洗大便器において、予め実験的に定められた貯水タンク４の水位上昇時間Ｔ１と給水装置２０の給水口３２から貯水タンク４に給水される第１給水流量Ｑ１との関係式である。これら水位上昇時間Ｔ１と第１給水流量Ｑ１との関係は、例えば反比例の関係にある。なお、図４は、横軸を水位上昇時間とし縦軸を流量として、第１関係式Ｒ１に基づいて水位上昇時間Ｔ１と第１給水流量Ｑ１との関係をグラフに表したものである。
第２関係式Ｒ２は、貯水タンク４を適用した基準便器において、予め実験的に定められた給水装置２０の第１給水流量Ｑ１と貯水タンク４の水位上昇時間Ｔ２との関係式である。これら水位上昇時間Ｔ２と第１給水流量Ｑ１との関係は、例えば反比例の関係にある。なお、図５は、横軸を流量とし縦軸を水位上昇時間として、第２関係式Ｒ２に基づいて水位上昇時間Ｔ１と第１給水流量Ｑ１との関係をグラフに表したものである。
【００５５】
判別参照テーブル７２は、判別手段６６が参照するためのテーブルである。
【００５６】
図６は、判別参照テーブル７２の一例を示す図である。
【００５７】
図６に示すように、判別参照テーブル７２には、水洗大便器の種類毎に対応付けられた特徴情報が記述されている。例えば、判別参照テーブル７２には、図中左から順に、通し番号の記述欄７２Ａ、圧力損失（任意単位）の記述欄７２Ｂ、パラメータの記述欄７２Ｃ、形状の記述欄７２Ｄ、サイホン式の記述欄７２Ｅ及び封水面の大きさの記述欄７２Ｆ等が設けられている。
【００５８】
通し番号の記述欄７２Ａには、水洗大便器２Ａ〜２Ｃを含む貯水タンク４が取付け自在な水洗大便器２の種類毎の通し番号が記述されている。なお、この記述欄７２Ａには、通し番号の代わりに、水洗大便器２の種類を示す機種番号や識別番号等が記載されていてもよい。
【００５９】
圧力損失の記述欄７２Ｂには、対応する通し番号が示す種類の水洗大便器２において生じる圧力損失の範囲が記載されている。
【００６０】
パラメータの記述欄７２Ｃには、対応する通し番号が示す種類の水洗大便器２のパラメータ、或いはその範囲が記載されている。このパラメータとしては、例えば洗浄後の水位低下時間、貯水タンク排水流量等が挙げられる。
【００６１】
形状の記述欄７２Ｄには、対応する通し番号が示す種類の水洗大便器２の形状が記述されている。
【００６２】
サイホン式の記述欄７２Ｅには、対応する通し番号が示す種類の水洗大便器２がサイホン式であるか（Ｙｅｓ）、否か（Ｎｏ）が記述されている。
【００６３】
溜水面の大きさの記述欄７２Ｆには、非排水時にボウル部６に溜まっている溜水面（例えば上面）の大きさが記述されている。この大きさの単位は、特にされず、図中記述欄７２Ｇの単位は任意単位である。
【００６４】
図３に戻って、供給条件参照テーブル７４は、設定手段６８が参照するためのテーブルである。
【００６５】
図７は、供給条件参照テーブル７４の一例を示す図である。
【００６６】
図７に示すように、供給条件参照テーブル７４には、特に限定されないが例えば、図中左から順に、通し番号の記述欄７４Ａ、便器洗浄水量（任意単位）の記述欄７４Ｂ、リフィール水量（任意単位）の記述欄７４Ｃ、合計洗浄水量の記述欄７４Ｄ、第３関係式の記述欄７４Ｅ等が設けられている。
【００６７】
通し番号の記述欄７４Ａには、記述欄７２Ａの通し番号と共通した通し番号が記述されている。
【００６８】
便器洗浄水量の記述欄７４Ｂには、対応する通し番号が示す種類の水洗大便器２における便器洗浄水量が記載されている。なお、「便器洗浄水量」とは、水洗大便器２の洗浄に使用する水の量である。
【００６９】
リフィール水量の記述欄７４Ｃには、対応する通し番号が示す種類の水洗大便器２におけるリフィール水量が記載されている。なお、「リフィール水量」とは、便器洗浄後に便器内溜水を元に戻すために必要な水量である。
【００７０】
合計洗浄水量の記述欄７４Ｄには、対応する通し番号が示す種類の水洗大便器２における合計洗浄水量が記載されている。なお、「合計洗浄水量」とは、トイレ装置１を１回使用した際に必要な水量であり、便器洗浄水量とリフィール水量との合計水量である。
【００７１】
第３関係式の記述欄７４Ｅは、基準となる水洗大便器２で予め実験的に定められた圧力損失係数Ｋと排水装置２２の開弁時間Ｔ４との第３関係式が記載されている。これら圧力損失係数Ｋと開弁時間Ｔ４との関係は、水洗大便器２の種類に関係なく同一で、例えば比例の関係にある。
【００７２】
図３に戻って、供給手段６２は、例えば排水装置２２を含んで構成される。この供給手段６２は、設定手段６８により設定される供給条件設定データ７６に基づいて、タンク本体４Ａの水を、複数の種類の水洗大便器２のうちタンク本体４Ａが取付けられた水洗大便器に供給する。
【００７３】
取得手段６４は、例えば制御装置２６を含んで構成される。この取得手段６４は、複数の種類の水洗大便器２のうちタンク本体４Ａが取付けられた水洗大便器に係る情報を取得する。
【００７４】
判別手段６６は、例えば制御装置２６を含んで構成される。この判別手段６６は、取得手段６４が取得した情報に基づいて、タンク本体４Ａが取付けられた水洗大便器の種類を判別する。例えば、判別手段６６は、予め記憶している水洗大便器の種類毎に対応付けられた水洗大便器の特徴情報（判別参照テーブル７２）を参照して、水洗大便器の種類を判別する。
【００７５】
設定手段６８は、例えば制御装置２６を含んで構成される。この設定手段６８は、供給手段６２の供給条件を、判別手段６６が判別した水洗大便器の種類に基づいて、当該種類に適したものに設定する。例えば、設定手段６８は、予め記憶している水洗大便器２の種類毎に対応付けられた水洗大便器の供給条件を参照して、判別手段６６が判別した水洗大便器の種類に対応する水洗大便器の供給条件を抽出し、この抽出した供給条件を設定する。
【００７６】
―――各機能構成の処理―――
次に、各機能構成の処理について具体的に説明する。
【００７７】
図８は、各機能構成の処理の中で取得手段６４、判別手段６６及び設定手段６８の各処理の流れを示すフローチャートである。
【００７８】
（ステップＳＰ１０）
取得手段６４は、水洗大便器の施工完了が完了したか否かを判定する。取得手段６４は、肯定判定した場合（Ｙｅｓ）にはステップＳＰ１２の処理に移行し、否定判定した場合（Ｎｏ）にはステップＳＰ１０の処理に戻る。
第１実施形態で、上記「施工」とは、例えば図２（Ａ）に示す水洗大便器２Ａにおいて、既に取り付けられていた古い貯水タンクを取り外して、複数の種類の水洗大便器２に取付け自在な新たな貯水タンク４を取り付ける、貯水タンクの取替え施工である。ただし、貯水タンクが取り付けられていない水洗大便器２Ａに、新たに貯水タンク４を取り付ける取付け施工であってもよい。また、以下の処理は、貯水タンク４の取替えや取付け対象が水洗大便器２Ｂ、２Ｃであっても同様である。
なお、施工が完了したか否かは、施工者による手動で任意の押しボタン（不図示）の押圧により、又は、貯水タンク４が取り付けられた際に貯水タンク４から突出した検知スイッチ（不図示）が水洗大便器２Ａとの接触による自動的な押圧等により、判断される。
【００７９】
（ステップＳＰ１２）
取得手段６４は、貯水タンク４が取付けられた水洗大便器２Ａに係る情報として、例えば水洗大便器２Ａの圧力損失を取得する。
【００８０】
図９は、図８に示すステップＳＰ１２の圧力損失取得に係るサブルーチンのフローチャートである。図１０は、取得手段６４の動作を示すタイムチャートである。
【００８１】
（ステップＳＰ１２Ａ）
取得手段６４は、洗浄テストを行う。この洗浄テストでは、図１０の時刻ｔ１で操作ボタン４６の大洗浄モード、小洗浄モード、及びエコ小洗浄モードの何れか１つの洗浄モード切替ボタン（図示せず）が押されても洗浄トリガがオンとなる。また、図１０の時刻ｔ１では、給水バルブ３０が開弁し、タンク本体４Ａに給水し、フロートスイッチ２４がオンとなった後に所定時間給水バルブ３０が閉弁して、給水を停止する。その後、図１０の時刻ｔ２で再度給水バルブ３０が開弁する。
以後同様に、ステップＳＰ１２ＢとステップＳＰ１２Ｃの間（図１０の時刻ｔ６の直前の所定時間）、及び、ステップＳＰ１２ＣとステップＳＰ１２Ｄとの間（図１０の時刻ｔ１０の直前の所定時間）においても、給水バルブ３０が所定時間閉弁して、給水を停止する。
すなわち、ステップＳＰ１２Ａ、ＳＰ１２Ｂ、ＳＰ１２Ｃ及びＳＰ１２Ｄのそれぞれが実行され、計時装置４８による所定の計測が行われる前に、給水バルブ３０を所定時間閉弁して給水装置２０を止めた状態とし、その後に作動させタンク本体４Ａ内への洗浄水の給水を開始することにより、図１０の時刻ｔ１３まで、給水装置２０の上流側の定流量弁３４の挙動を安定化させて流量のばらつきを抑制する。
【００８２】
（ステップＳＰ１２Ｂ）
取得手段６４は、給水装置２０の給水口３２からタンク本体４Ａに給水される第１給水流量Ｑ１を算出する。
【００８３】
この第１給水流量Ｑ１を算出する方法について、図１、図４及び図１０を参照して説明する。
【００８４】
図１０の時刻ｔ１で排水装置２２が排水口１８を閉止している状態で給水バルブ３０が所定時間開弁し、給水口３２からタンク本体４Ａ内に所定時間給水が行われ、図１０の時刻ｔ２の前にタンク本体４Ａ内の水位がフロートスイッチ２４に接触する水位（止水水位ＷＬ）まで上昇する。そして、フロートスイッチ２４がオンとなり、その後、給水バルブ３０が所定時間閉弁すると、図１０の時刻ｔ２で排水装置２２が駆動して排水口１８を開放し、タンク本体４Ａ内の水位が下降し、図１０の時刻ｔ３でフロートスイッチ２４がオフとなる。
【００８５】
また、給水装置２０による給水を継続させた状態であっても、タンク本体４Ａ内の水位が下降する速度が、給水によって水位が上昇する速度を大きく上回るため、タンク本体４Ａ内の水位が空（ＤＷＬ２＝０）の状態となる（図１のＤＷＬ２参照）。その後、図１０の時刻ｔ４で排水装置２２が、タンク本体４Ａ内の水位が空の状態（ＤＷＬ２＝０）で排水口１８を再び閉止する。
【００８６】
このとき、図１０の時刻ｔ４では、排水装置２２が排水口１８を閉止すると同時に、制御装置２６の計時装置４８が、タンク本体４Ａ内の水位が時刻ｔ４から洗浄開始前の初期水位（止水水位ＷＬ）まで上昇した時刻ｔ５までの水位上昇時間Ｔ１（＝ｔ５−ｔ４）の計測をする（図１及び図１０のＴ１参照）。また、図１０の時刻ｔ５では、フロートスイッチ２４はオフからオンとなる。
第１実施形態では、タンク本体４Ａ内の水位が時刻ｔ４から洗浄開始前の初期水位（止水水位ＷＬ）まで上昇した時刻ｔ５までの水位上昇時間Ｔ１（＝ｔ５−ｔ４）の計測をしているが、初期水位ではなく、初期水位より低い所定水位や初期水位より高い所定水位まで上昇した時刻までの水位上昇時間を計測してもよい。
【００８７】
そして、取得手段６４は、圧力損失算出データ７０のうち予め実験的に定められた貯水タンクの水位上昇時間Ｔ１と給水装置の第１給水流量Ｑ１との第１関係式Ｒ１を読み出す。ここで、図４に示すように、図１０の時刻ｔ４から時刻ｔ５までに計時装置４８が計測した水位上昇時間Ｔ１がａ［ｓ］であったとすると、この水位上昇時間Ｔ１（＝ａ［ｓ］）が、第１関係式Ｒ１に当てはめられることにより、第１給水流量Ｑ１（＝ｂ［Ｌ／ｍｉｎ］）が算出され、この算出されたデータを一時的に記憶する。
なお、この計時装置４８が計測した水位上昇時間Ｔ１を第１関係式Ｒ１に当てはめられて算出された第１給水流量Ｑ１は、計測した水位上昇時間Ｔ１とタンク本体４Ａの容量とからも算出することができる。
【００８８】
（ステップＳＰ１２Ｃ）
取得手段６４は、水洗大便器２Ａの圧力損失を算出する。
【００８９】
この水洗大便器２Ａの圧力損失の確認方法について、図１、図５及び図１０を用いて具体的に説明する。
【００９０】
事前準備として、取得手段６４は、圧力損失算出データ７０のうち予め実験的に定められた給水装置２０の第１給水流量Ｑ１とタンク本体４Ａの水位上昇時間Ｔ２との関係式Ｒ２を読み出す。そして、取得手段６４は、図５に示すように、貯水タンク４を基準便器に適用した場合において、関係式Ｒ２に、図４で算出した水洗大便器２の第１給水流量Ｑ１（＝ｂ［Ｌ／ｍｉｎ］）を当てはめる。これにより、排水装置２２を所定時間駆動して洗浄水を排出した後、この排水装置２２が閉弁した状態のタンク本体４Ａ内の死水水位ＤＷＬ１から洗浄開始前の初期水位ＷＬに上昇するまでの水位上昇時間Ｔ２（＝ｃ［ｓ］）を予め算出しておく。
【００９１】
図１０の時刻ｔ５の後のステップＳＰ１２Ｃにおいて、時刻ｔ６の直前の所定時間給水バルブ３０が閉弁し、時刻ｔ６で再度給水バルブ３０が開弁すると共に、排水装置２２が再び駆動して排水口１８を仮の開弁時間で開放する。そして、タンク本体４Ａ内の水位が下降し、図１０の時刻ｔ７でフロートスイッチ２４がオフとなる。そして、図１０の時刻ｔ８で排水装置２２が排水口１８を閉止すると、貯水タンク４内の死水水位ＤＷＬ１が決定し、タンク本体４Ａの止水水位ＷＬと死水水位ＤＷＬ１との差分に相当する洗浄水量、すなわち、タンク本体４Ａから水洗大便器２の導水路８に排水された洗浄水量が算出される。同時に、取得手段６４の一部としての制御装置２６の計時装置４８が、タンク本体４Ａ内の水位が時刻ｔ８の死水水位ＤＷＬ１から洗浄開始前の初期水位（止水水位ＷＬ）まで上昇した時刻ｔ９までの水位上昇時間Ｔ３（＝ｔ９−ｔ８）の計測をする（図１のＴ３参照）。
第１実施形態では、タンク本体４Ａ内の水位が時刻ｔ８から洗浄開始前の初期水位（止水水位ＷＬ）まで上昇した時刻ｔ９までの水位上昇時間Ｔ３（＝ｔ９−ｔ８）の計測をしているが、初期水位ではなく、初期水位より低い所定水位や初期水位より高い所定水位まで上昇した時刻までの水位上昇時間を計測しても良い。
【００９２】
次に、取得手段６４は、計時装置４８が計測した水洗大便器２Ａの水位上昇時間Ｔ３と図５で算出した基準便器の水位上昇時間Ｔ２との比（Ｔ３／Ｔ２）を圧力損失係数Ｋとして算出し、図９のステップＳ１２Ｃは終了する。
【００９３】
ここで、水洗大便器２Ａと基準便器のそれぞれのタンク本体４Ａの容量及び第１給水流量Ｑ１が、互いに共通していることを考慮すれば、圧力損失係数Ｋが「１」よりも大きい場合には、水洗大便器２Ａの水位上昇時間Ｔ３が基準便器の水位上昇時間Ｔ２よりも大きいため、水洗大便器２Ａの方が基準便器よりも死水水位ＤＷＬ１が低く、タンク本体４Ａから水洗大便器２Ａに排水された洗浄水量が多くなり、その分、水洗大便器２Ａの圧力損失が基準便器の圧力損失よりも小さいことが確認できる。
一方、圧力損失係数Ｋが「１」となる場合には、水洗大便器２Ａと基準便器の圧力損失が互いに等しいことが確認でき、圧力損失係数Ｋが「１」よりも小さい場合には、水洗大便器２Ａの圧力損失が基準便器の圧力損失よりも大きいことが確認できる。
【００９４】
（ステップＳＰ１２Ｄ）
取得手段６４により、時刻ｔ１０の直前の所定時間給水バルブ３０が閉弁し、時刻ｔ１０で再度給水バルブ３０が開弁する。そして、再び、上述したステップＳ１２Ｂと同様な工程で、給水装置２０の給水口３２からタンク本体４Ａに給水される第２給水流量Ｑ２を算出する。具体的には、図１０の時刻ｔ１０で排水装置２２が駆動して排水口１８を開放し、貯水タンク４内の水位が下降し、図１０の時刻ｔ１１でフロートスイッチ２４がオフとなる。
【００９５】
また、給水装置２０による給水は継続した状態であるが、タンク本体４Ａ内の水位が下降する速度が、給水によって水位が上昇する速度を大きく上回るため、タンク本体４Ａ内の水位が空（ＤＷＬ２＝０）の状態となる（図１のＤＷＬ２参照）。その後、図１０の時刻ｔ１２で排水装置２２が、タンク本体４Ａ内の水位が空の状態（ＤＷＬ２＝０）で排水口１８を再び閉止すると同時に、取得手段６４の一部としての制御装置２６の計時装置４８が、タンク本体４Ａ内の水位が時刻ｔ１２から洗浄開始前の初期水位（止水水位ＷＬ）まで上昇した時刻ｔ１３までの水位上昇時間Ｔ５（＝ｔ１３−ｔ１２）の計測をする（図１及び図１０のＴ５参照）。また、図１０の時刻ｔ１３では、フロートスイッチ２４はオフからオンとなり、給水バルブ３０が閉弁し、給水装置２０による給水が停止される。
【００９６】
そして、図１０の時刻ｔ１２から時刻ｔ１３までに計時装置４８が計測した水位上昇時間Ｔ５が、図４に示す第１関係式Ｒ１に当てはめられることにより、第２給水流量Ｑ２が算出される。
【００９７】
（ステップＳＰ１２Ｅ）
取得手段６４は、第２給水流量Ｑ２が、図９のステップＳ１２Ｂで算出されて記憶された第１給水流量Ｑ１と比較され、両者の差が所定の範囲内であるか否か判定する。そして、取得手段６４は、肯定判定した場合にはステップＳＰ１２Ｆの処理に移行し、否定判定した場合にはステップＳＰ１２Ａの処理に戻る。
【００９８】
（ステップＳＰ１２Ｆ）
取得手段６４は、ステップＳＰ１２Ｃで算出した圧力損失係数Ｋを確定し、これを取得して、判別手段６６に渡す。
【００９９】
（ステップＳＰ１４）
判別手段６６は、取得手段６４から渡された水洗大便器２Ａに係る情報に基づいて、水洗大便器２Ａの種類を判別する。なお、判別に用いられる情報は、後述するステップＳＰ１８を経由しない場合には圧力損失係数Ｋの１つであり、後述するステップＳＰ１８を経由する場合には圧力損失係数Ｋの情報を含む２種類以上となる。
【０１００】
具体的には、判別手段６６は、判別参照テーブル７２を参照し、取得手段６４から渡された水洗大便器２Ａに係る情報と、この情報に対応する判別参照テーブル７２内の欄とを比較して、取得手段６４から渡された水洗大便器２Ａに係る情報と一致する欄の通し番号を特定することで、水洗大便器２Ａの種類の判別を行う。
【０１０１】
ただし、取得手段６４から渡された水洗大便器２Ａに係る情報だけでは判別ができない場合もある。例えば、図６中の通し番号「４」では圧力損失係数Ｋが「０．９」〜「１．１」の間で他の通し番号の圧力損失係数Ｋと重複しないので、圧力損失係数Ｋだけで通し番号「４」を特定することができるが、「４」以外の通し番号では圧力損失係数Ｋが他の通し番号の圧力損失係数Ｋと重複するので、圧力損失係数Ｋだけでは「４」以外の通し番号を特定することができない。
【０１０２】
（ステップＳＰ１６）
そこで、判別手段６６は、判別不能であった場合にはステップＳＰ１８の処理に移行し、判別不能でなかった場合にはステップＳＰ２０の処理に移行する。
【０１０３】
（ステップＳＰ１８）
取得手段６４は、圧力損失係数Ｋ以外の水洗大便器２Ａに係る情報、例えば図６に示すパラメータ等を自動で取得して、判別手段６６に渡す。このパラメータの取得は、例えば計時装置４８やセンサを用いる等公知の方法で行われるため、その説明は省略する。
【０１０４】
（ステップＳＰ２０）
設定手段６８は、判別手段６６が判別した水洗大便器２Ａの種類に基づいて、供給手段６２の供給条件を、当該種類に適したものに設定する。
【０１０５】
具体的には、設定手段６８は、供給条件参照テーブル７４を参照して、判別手段６６が判別した水洗大便器２Ａの種類、すなわち水洗大便器２Ａの通し番号に対応する供給条件を取得する。そして、設定手段６８は、取得した供給条件のうち例えば便器洗浄水量やリフィール水量、合計洗浄水量等は、そのまま供給手段６２が供給の際に参照する供給条件設定データ７６としてそのまま設定する。また、設定手段６８は、取得した供給条件のうち例えば第３関係式等は、その条件を元に算出した値を供給条件設定データ７６として設定する。
【０１０６】
例えば第３関係式については、設定手段６８は、ステップＳＰ１２で取得された圧力損失係数Ｋを第３関係式に代入することにより、排水装置２２の開弁時間Ｔ４を算出する。第３関係式は、例えば図１１に示す比例式Ｒ３（以下、「第３関係式Ｒ３」とする。）である。この図１１において、算出された圧力損失係数Ｋが定数ｄであったとすると、第３関係式Ｒ３に代入され、排水装置２２の開弁時間Ｔ４はｅ［ｓ］と算出され、この算出されたデータが供給条件設定データ７６として設定される。
【０１０７】
（ステップＳＰ２２）
設定手段６８は、算出した開弁時間Ｔ４が、図１１に示すように、予め定められた最小開弁時間Ｔ４ｍｉｎを下回るか、又は予め定められた最大開弁時間Ｔ４ｍａｘを上回る場合には、開弁時間Ｔ４が異常値であると判定し、報知手段としての報知器５０を制御して、適切な設定が行われていないことを施工者に知らせる共に、設定手段６８が、水洗大便器２Ａの圧力損失を考慮した洗浄能力を確保することができる既定値の給水流量を設定する。そして、再び、図８のステップＳＰ１２から再実行され、以後の再実行された図８のステップＳ２０で排水装置２２の開弁時間Ｔ４が決定される。
一方、開弁時間Ｔ４が、最小開弁時間Ｔ４ｍｉｎと最大開弁時間Ｔ４ｍａｘとの間の範囲内にある場合には、設定完了となって、以後、本質的な便器洗浄動作が可能な状態となり、水洗大便器２Ａと貯水タンク４が実質的に使用可能な状態となるため、設定手段６８は、正常値であると判定し、報知器５０を制御して、設定が完了した旨を施工者に報知する。
【０１０８】
―――効果―――
以上、本第１実施形態に係る貯水タンク４では、タンク本体４Ａが複数の種類の水洗大便器２に取付け自在になっているため、複数の種類の水洗大便器２に対して貯水タンクを共通化することができるので、貯水タンク４のみを取替える場合、施工者がそのまま使用する既存の水洗大便器２Ａの製造番号等を現場に行って確認することなく、当該既存の水洗大便器２Ａの種類に適した共通の貯水タンク４を発注することができるので、貯水タンク４の設置に掛る時間と手間を短縮することができる。
また、本第１実施形態に係る貯水タンク４では、タンク本体４Ａが取付けられた水洗大便器に係る情報を取得する取得手段６４と、取得手段６４が取得した情報に基づいて、タンク本体４Ａが取付けられた水洗大便器２Ａの種類を判別する判別手段６６とを備えているので、供給条件の設定の際に、施工者が水洗大便器２Ａを見てその種類が分からなくても、自動で水洗大便器２Ａの種類が判別される。そして、貯水タンク４では、設定手段６８が、供給手段の供給条件を、判別手段６６が判別した水洗大便器２Ａの種類に基づいて、当該種類に適したものに設定するため、設定の際の施工者の手間が省かれて、貯水タンク４の準備に掛る時間を短縮することができる。また、手動で設定を行わず設定手段６８が設定を行うため、水の供給条件の誤設定を抑制することができる。
したがって、本第１実施形態に係る貯水タンク４によれば、貯水タンク４の設置に掛る時間を短縮すると共に、水の供給条件の誤設定を抑制することができる。
【０１０９】
また、取得手段６４は、タンク本体４Ａ内の水位の変化に係る計測時間である水位上昇時間に基づき、水洗大便器２Ａの圧力損失（圧力損失係数Ｋ）を取得するので、判別手段６６は、取得手段６４により算出された圧力損失に基づいて、水洗大便器２Ａの種類を判別することができる。ここで、圧力損失は水洗大便器の種類によって異なり易いので、判別手段６６が圧力損失に基づいて水洗大便器２Ａの種類を判別すると、水洗大便器２Ａに係る他の情報に基づいて判別する場合に比べて、より正確に水洗大便器２Ａを判別することができる。
【０１１０】
また、本第１実施形態に係る貯水タンク４では、図８に示すステップＳＰ１６及びステップＳＰ１８を経ることで、取得手段６４は、貯水タンク４が取り付けられた水洗大便器２Ａに係る情報として、２種類以上の情報を取得するので、判別手段６６が、１種類の情報だけでは区別できない水洗大便器２Ａを判別することができる。
【０１１１】
＜第２実施形態＞
次に、本発明の第２実施形態に係る貯水タンクについて説明する。
【０１１２】
第１実施形態では取得手段６４が貯水タンク４の取り付けられた水洗大便器２Ａに係る情報を全て自動で取得する場合を説明したが、本第２実施形態では、全部又は一部が手動で入力されることにより取得する場合を説明する。
【０１１３】
本第２実施形態に係る貯水タンクの構成は、貯水タンク４の構成と同様である。ただし、取得手段６４は、水洗大便器２Ａに係る情報の一部が手動で入力される入力手段を含んでいる。
【０１１４】
入力手段は、タンク本体４Ａに設けられてもよいし、タンク本体４Ａから離れた箇所に設けられてもよい。第２実施形態では、入力手段は、例えば水洗大便器２Ａや貯水タンク４を遠隔制御する不図示のリモコン装置の入力手段であるリモコンスイッチと兼用される。
入力手段で入力される水洗大便器２Ａに係る情報は、特に限定されないが、施工者（人）が目視で確認可能な情報であることが好ましい。目視で確認可能な情報とは、図６に示すように、水洗大便器２の形状や、サイホン式の有無、溜水面の大きさ等である。
【０１１５】
本第２実施形態に係る貯水タンクの処理は、図８に示す第１実施形態に係る貯水タンク４の処理と同様であるが、ステップＳＰ１８の処理のみ異なる。
【０１１６】
ステップＳＰ１８では、取得手段６４は、リモコン装置の表示画面に、施工者に入力を促す旨を表示する。そして、取得手段６４は、入力があると、それを貯水タンク４が取り付けられた水洗大便器２Ａに係る情報のその他の情報（入力情報）として取得する。
【０１１７】
ステップＳＰ１８から続くステップＳＰ１４では、判別手段６６は、取得手段６４が取得した、圧力損失係数Ｋと入力情報とに基づき、貯水タンク４が取り付けられた水洗大便器２Ａの種類を判別する。
【０１１８】
以上、本第２実施形態に係る貯水タンクによれば、水洗大便器２Ａの品番が水洗大便器２Ａから消えて確認できないときでも、水洗大便器の外観や内観、溜水面の大きさ、水の供給の仕方等の水洗大便器２Ａに係る情報は、施工者は現場に行けば知ることができるため、このような情報を、施工者が入力手段で入力することで、判別手段６６にて水洗大便器２Ａの種類が判別されて、設定手段６８にて供給条件が設定される。これにより、水洗大便器２Ａに係る情報を自動で取得するセンサ等を新たに設けなくても、取得手段６４を構成できる。また、センサ等があっても、これに加えて入力手段があれば、判別手段６６は、複数の情報に基づいて判別することができるので、より正確に水洗大便器２Ａを判別することができる。
【０１１９】
＜第３実施形態＞
次に、本発明の第３実施形態に係る貯水タンクについて説明する。
【０１２０】
第１実施形態では取得手段６４が貯水タンク４の取り付けられた水洗大便器２Ａに係る情報として圧力損失係数Ｋ等を取得する場合を説明したが、水洗大便器２Ａに係る情報として水洗大便器２Ａの種類そのものを示す識別情報を取得する場合を説明する。
【０１２１】
本第３実施形態に係る貯水タンクの構成は、貯水タンク４の構成と同様である。ただし、貯水タンク４が取付け自在となる複数の種類の水洗大便器２には、それぞれ、識別情報を埋め込んだタグが付与されている。タグを付与する場所は、特に限定されないが、読み取り易さの観点から、貯水タンク４が取付けられる水洗大便器２Ａの上面又は背面であることが好ましい。
【０１２２】
第３実施形態に係る貯水タンクの処理は、図８に示す第１実施形態に係る貯水タンク４の処理において、ステップＳＰ１２、ＳＰ１６、ＳＰ１８を省略している。また、ステップＳＰ１２の代わりに、取得手段６４は、タグを読み取ることが可能なリーダを含んでおり、タンク本体４Ａが複数の種類の水洗大便器２の何れかに取付けられた際に、取付けられた水洗大便器のタグを読み取ることで、水洗大便器に係る情報としての識別情報（ＩＤ）を取得する。
【０１２３】
そして、ステップＳＰ１４において、判別手段６６は、図６に示す判別参照テーブル７２の代わりに、図１２に示すような通し番号とＩＤとを対応付けた識別情報参照テーブル８０を参照して、すなわち通し番号を特定することで、水洗大便器の種類を判別する。
【０１２４】
以上、本第３実施形態に係る貯水タンクによれば、取得手段６４が水洗大便器のＩＤを取得するため、識別情報参照テーブル８０を１回参照するだけで判別でき、判別手段６６の判別がより容易且つ正確となる。なお、ＩＤ自身が水洗大便器の種類を示す場合には、識別情報参照テーブル８０を参照しなくても、判別手段６６がＩＤを受け取るだけで、判別が可能である。
【０１２５】
＜第４実施形態＞
次に、本発明の第４実施形態に係る貯水タンクについて説明する。
【０１２６】
第１実施形態では設定手段６８は、設定した排水装置２２の開弁時間Ｔ４が適切である場合にはその時間を使用し、適切でない場合は再度圧力損失を計算するために図８に示す処理を繰り返す場合を説明したが、第４実施形態では設定した排水装置２２の開弁時間Ｔ４を補正する場合を説明する。
【０１２７】
本第４実施形態に係る貯水タンクの構成は、貯水タンク４の構成と同様である。また、本第４実施形態に係る貯水タンクの各機能構成の処理の中で取得手段６４、判別手段６６及び設定手段６８の各処理の流れも、図８と図９及び図１０に示す処理の流れと同様である。
【０１２８】
ただし、貯水タンク４に使用される定流量弁３４は、施工時の後に給水が行なわれるステップＳＰ１２では、初めて使用されるものであるので、定流量弁３４が給水管２８に馴染んでいない虞があり、上述した図９や図１０のステップＳＰ１２Ｂ，ステップＳＰ１２Ｃ，ステップＳＰ１２Ｄにおける流量特性が変化することを前提に、この変化に応じて、図８におけるステップＳP２０において設定される開弁時間Ｔ４を補正する制御を実行する。
【０１２９】
図１３は、給水時間と、給水流量との関係を示す図である。この図１３では、ステップＳＰ１２Ｂ，ステップＳＰ１２Ｃ，ステップＳＰ１２Ｄの検知時間Ｔ１，Ｔ３，Ｔ５における合計給水流量をそれぞれの検知時間Ｔ１，Ｔ３，Ｔ５で除算した平均給水流量を給水流量として示している。
【０１３０】
図１３に示すように、施工完了初期の定流量弁３４が仮に馴染んでいないと、例えばステップＳＰ１２Ｂ，ステップＳＰ１２Ｃ、ステップＳＰ１２Ｄと使用することによって馴染んでいき、馴染むに連れて所定の給水期間である検知時間Ｔ１，Ｔ３，Ｔ５それぞれの期間内における給水流量の変動が抑えられ、結果として平均給水流量としては低下していく。言い換えれば、圧力損失算出の基礎となったステップＳＰ１２Ｂでの第１給水流量Ｑ１は、その後の圧力損失算出時のステップＳＰ１２Ｃでの第３給水流量Ｑ３とは異なる場合がある。このような場合、設定した排水装置２２の開弁時間Ｔ４が適切でない場合も生じ得る。
【０１３１】
したがって、本第４実施形態では、図８に示すステップＳＰ２０において、複数の処理を行なうことで、排水装置２２の開弁時間Ｔ４の補正を実行する。
【０１３２】
図１４は、８に示すステップＳＰ２０の供給条件設定に係るサブルーチンのフローチャートであり、以下にこの図１４にて行なわれる複数の処理について説明する。
【０１３３】
（ステップＳＰ２０Ａ）
設定手段６８は、判別手段６６が判別した水洗大便器２Ａの種類に基づいて、供給手段６２の供給条件を、当該種類に適したものに設定する。
【０１３４】
具体的には、設定手段６８は、供給条件参照テーブル７４を参照して、判別手段６６が判別した水洗大便器２Ａの種類、すなわち水洗大便器２Ａの通し番号に対応する供給条件を取得する。そして、設定手段６８は、取得した供給条件のうち例えば便器洗浄水量やリフィール水量、合計洗浄水量等は、そのまま供給手段６２が供給の際に参照する供給条件設定データ７６としてそのまま設定する。また、設定手段６８は、取得した供給条件のうち例えば第３関係式等は、その条件を元に算出した値を供給条件設定データ７６として設定する。
【０１３５】
例えば第３関係式については、設定手段６８は、ステップＳＰ１２で取得された圧力損失係数Ｋを第３関係式に代入することにより、排水装置２２の開弁時間Ｔ４を算出する。第３関係式は、例えば図１１に示す比例式Ｒ３（以下、「第３関係式Ｒ３」とする。）である。この図１１において、算出された圧力損失係数Ｋが定数ｄであったとすると、第３関係式Ｒ３に代入され、排水装置２２の開弁時間Ｔ４はｅ［ｓ］と算出され、この算出されたデータが供給条件設定データ７６として設定される。
【０１３６】
（ステップＳＰ２０Ｂ）
取得手段６４は、開弁時間Ｔ４が設定されている状況の下で、第１給水流量Ｑ１と第２給水流量Ｑ２とを用いて、ステップＳＰ１２Ｃにおける給水装置２０の給水口３２からタンク本体４Ａに給水される第３給水流量Ｑ３を推定する。この推定としては、例えば第１給水流量Ｑ１と第２給水流量Ｑ２との中間値（平均値）とすることができるし、また、図１３に示す流量特性の変化の近似式として予め設定しておいた数式に当てはめて算出することも可能である。
【０１３７】
（ステップＳＰ２０Ｃ）
設定手段６８は、第３給水流量Ｑ３と給水流量Ｑ１の差分を給水流量変動量Ｄ１として算出する。
【０１３８】
（ステップＳＰ２０Ｄ）
設定手段６８は、排水装置２２の開弁時間Ｔ４を補正する。補正の仕方は、開弁時間Ｔ４がより適切な値となるものであれば特に限定されないが、一例としては、設定されたＴ４にαを加算する（Ｔ４＝Ｔ４＋α）。このαは、例えば、α＝−ｃ×Ｄ１＋ｄ等の関係式で表される。この一例の関係式においてｃとｄとは使用されている水洗大便器２Ａに対して予め設定されている定数であり、図７に示した供給条件参照テーブル７４に格納されいる。設定手段６８は、使用されていると判別された水洗大便器２Ａに対応する定数を供給条件参照テーブル７４から読み出して用いる。
【０１３９】
以上、本第４実施形態に係る貯水タンクによれば、圧力損失判定のために複数回の給水動作を繰り返し給水流量に変動が生じた場合でも、狙いの（適切の）開弁時間Ｔ４及び洗浄水量に設定ができる。
【０１４０】
また、開弁時間Ｔ４が補正されることにより、ステップＳＰ２２で図８のステップＳＰ１２から再実行（圧損学習再実行）されてしまう確率を減少することができる。そのため、この第４実施形態においてはステップＳＰ２２の処理を削除することで、処理を簡略化することも可能である。
【０１４１】
＜変形例＞
以上、本願の開示する技術の実施形態について説明したが、本願の開示する技術は、上記に限定されるものではない。
【０１４２】
例えば、第１実施形態の図９の説明において、圧力損失係数Ｋは、水位上昇時間に基づき算出される場合を説明したが、タンク本体４Ａ内の水位の変化に係る計測時間に基づけば、特に限定されず、例えばタンク本体４Ａ内の水位が洗浄開始前の初期水位から所定水位に低下するまでの水位低下時間に基づき算出されてもよい。
【０１４３】
また、第１実施形態の図９の説明において、給水装置２０によってタンク本体４Ａに給水される給水流量がばらつくことなく、常時安定した流量が保証されているような場合には、ステップＳＰ１２Ｂの第１給水流量Ｑ１を確認する工程とステップＳＰ１２Ｄの第２給水流量Ｑ２を確認する工程のそれぞれを省略してもよい。
【０１４４】
また、報知手段は、ＬＥＤ表示器等を点滅させて報知する報知器５０である場合を説明したが、点滅せずに色を変化させて報知したり、音や臭い振動、メール等で報知したりしてもよい。
【０１４５】
また、報知手段は、ステップＳＰ２２で、設定手段６８が設定した供給条件の内容を例えばリモコン装置の表示手段に表示したり、メールで送信したりすることで施工者に知らせてもよい。同様に、報知手段は、ステップＳＰ１４で、判別手段６６が判別した水洗大便器の種類を例えばリモコン装置の表示手段に表示したり、メールで送信したりすることで施工者に知らせてもよい。
【０１４６】
また、判別参照テーブル７２と供給条件参照テーブル７４は、一緒のテーブルであってもよい。また、判別参照テーブル７２と供給条件参照テーブル７４内の内容は、テーブル形式で記述されていなくてもよい。
【０１４７】
また、第４実施形態の中で、貯水タンク４が定流量弁３４を備えることを前提として開弁時間Ｔ４の補正の説明をしたが、貯水タンク４の弁は定流量弁３４に限定されない。
【０１４８】
前述した各実施の形態が備える各要素は、技術的に可能な限りにおいて組み合わせることができ、これらを組み合わせたものも本発明の特徴を含む限り本発明の範囲に包含される。
【符号の説明】
【０１４９】
２、２Ａ、２Ｂ、２Ｃ…水洗大便器
４…貯水タンク
４Ａ…タンク本体
３４…定流量弁（弁体）
６２…供給手段
６４…取得手段
６６…判別手段
６８…設定手段
【図１】
0006537016.tif 000002
【図２】
0006537016.tif 000003
【図３】
0006537016.tif 000004
【図４】
0006537016.tif 000005
【図５】
0006537016.tif 000006
【図６】
0006537016.tif 000007
【図７】
0006537016.tif 000008
【図８】
0006537016.tif 000009
【図９】
0006537016.tif 000010
【図１０】
0006537016.tif 000011
【図１１】
0006537016.tif 000012
【図１２】
0006537016.tif 000013
【図１３】
0006537016.tif 000014
【図１４】
0006537016.tif 000015